(57)【特許請求の範囲】
【請求項１】
船尾から繰り出されている曳網索を前記船尾の進行方向に対して側方に偏向させる偏向展開手段と、曳網索の船尾と偏向展開手段との間に前面開口を障害物のない状態で直接開口させて装着されているトロール網とを有することを特徴とするサイドトーイングトロールシステム。
【発明の詳細な説明】
【０００１】
【発明の属する技術分野】
本発明は、トロール網を船尾より側面側に偏向させて曳網するサイドトーイングトロールシステムに関する。
【０００２】
【従来の技術と発明が解決しようとする課題】
一般に、水産資源調査の一手法としてトロール網によって調査水域をトローリングすることが行われている。
【０００３】
従来においては、例えば図４に示すように、調査船１の船尾の船尾Ａから曳網索２、ブライドル３を介してトロール網４を曳網して、調査水域の表層を遊泳している稚魚等のサンプルを捕獲するようにしていた。
【０００４】
ところが、この従来の水産資源調査方法においては、トロール網４を調査船１の航跡に沿って曳網するものであるために、稚魚等が航跡に沿ったスクリュー流から逃避するので正確な調査を行うことが不可能であった。更に、トロール網４の直ぐ上流側に配置されているブライドル３が稚魚等を脅して逃避させるために、前記と同様に正確な調査を行うことが不可能であった。
【０００５】
本発明はこれらの点に鑑みてなされたものであり、船の航跡から外れた位置において前面開口を障害物のない状態で直接開口させてトロール網を曳網することができ、魚等を逃避させない状態にして捕獲することのできるサイドトーイングトロールシステムを提供することを目的とする。
【０００６】
【課題を解決するための手段】
前記目的を達成するために本発明のサイドトーイングトロールシステムは、船尾から繰り出されている曳網索を前記船尾の進行方向に対して側方に偏向させる偏向展開手段と、曳網索の船尾と偏向展開手段との間に前面開口を障害物のない状態で直接開口させて装着されているトロール網とを有することを特徴とする。本発明によれば、偏向展開手段が曳網索とトロール網とを船尾の進行方向に対して側方に偏向させ、トロール網が前面開口を障害物のない状態で直接開口させるので、船の航跡から外れた位置において前面開口を障害物のない状態で直接開口させてトロール網を曳網させて、魚等を逃避させない状態にして捕獲することができる。
【０００７】
【発明の実施の形態】
以下、本発明の実施の形態を図１から図３について説明する。
【０００８】
図１から図３は本発明の１実施形態を示している。
【０００９】
図１および図２に示すように、本発明のサイドトーイングトロールシステムは、船１１の船尾の船尾Ａから繰り出されている曳網索１２の下流端に船尾Ａの進行方向に対して側方に偏向させる偏向展開手段１３を設け、この曳網索１２の船尾Ａと偏向展開手段１３との間にトロール網１４を取り付けるとともに、トロール網１４の前面開口１５を障害物のない状態で直接開口させるようにされている。
【００１０】
図３により更に説明すると、トロール網１４は金属製若しくは強化プラスチック製の矩形の剛性ネットフレーム１６に袋状の身網１７を結合して形成されており、剛性ネットフレーム１６が前面開口１５を形成している。このトロール網１４は曳網索１２に連結するために、剛性ネットフレーム１６の上辺、上流側側辺および下辺から前方に向けて平面形状が略三角形状のアジャストネット１８を結合している。曳網索１２を形成するトーイングケーブル１９の端部に取り付けたスイベル２０とアジャストネット１８の上下端をそれぞれトーイングブライドル２１およびトーイングチエーン２２をもって連結している。また、トロール網１４の水深を調整するために、剛性ネットフレーム１６およびアジャストネット１８の上辺部分に大小大きさの異なる複数の浮子２３を固着するとともに、アジャストネット１８の下辺部分全体に錘となるグランドチエーン２４を固着している。
【００１１】
偏向展開手段１３は、金属製若しくは強化プラスチック製の略「日」字形をした内側カイトフレーム２５に、キャンバス地製の縦断面形状が略Ｗ字形をした外側カイト２６を結合して形成されている。この外側カイト２６の形状は、内側カイトフレーム２５の前辺部分のＷ字形が最大形であり、内側カイトフレーム２５の後辺部分で平坦となるようにＷ字形を次第に小さくするように形成されている。偏向展開手段１３の水深を調整するために、内側カイトフレーム２５の上辺部分および外側カイト２６の上面部分に大小大きさの異なる複数の浮子２７を固着するとともに、内側カイトフレーム２５の２箇所の下隅部および外側カイト２６の下面部分にそれぞれ錘２８を固着している。
【００１２】
トロール網１４の剛性ネットフレーム１６の下流側上隅部から曳網索１２となるトーイングブライドル２９およびトーイングチエーン３０が連結されており、これらの下流端部に取り付けたスイベル３１と内側カイトフレーム２５の上下４隅部をそれぞれトーイングブライドル３２をもって連結している。
【００１３】
次に、本実施形態の作用を説明する。
【００１４】
本実施形態におけるサイドトーイングトロールシステムトロールを用いる場合には、船１１の船尾から調査水域に偏向展開手段１３、トロール網１４および曳網索１２を順に投入し、船尾Ａから所定長の曳網索１２を繰り出すと、偏向展開手段１３の外側カイト２６の内面に水流が作用して外側向きの展開力が発生し、当該偏向展開手段１３、トロール網１４および曳網索１２を船尾Ａの進行方向に対して側方に偏向させ、更にトロール網１４が前面開口１５を障害物のない状態で直接開口させる状態に保持される。更に、浮子２３およびグランドチエーン２４並びに浮子２７および錘２８によってトロール網１４並びに偏向展開手段１３が所定の水深に保持される。これにより、船１１の航跡から外れた位置において前面開口１５を障害物のない状態で直接開口させてトロール網１４を曳網させて、魚等を逃避させない状態にして捕獲することができる。従って、稚魚等を捕獲する水産資源調査に本実施形態のサイドトーイングトロールシステムを用いると、稚魚等を全く逃避させることなく捕獲して正確な調査を行うことができる。漁獲が終了した場合には、サイドトーイングトロールシステムを前記の投入時と逆順に揚網するとよい。
【００１５】
なお、前記実施の形態においては、偏向展開手段１３をトロール網１４と別体に設けたが、外側カイト２６のみをトロール網１４の下流側の側面に固着することにより、偏向展開手段１３をトロール網１４と一体に設けてもよい。
【００１６】
なお、本発明は前記実施の形態に限定されるものではなく、必要に応じて変更することができる。
【００１７】
【発明の効果】
本発明のサイドトーイングトロールシステムはこのように構成されかつ作用するものであるから、偏向展開手段が曳網索とトロール網とを船尾の進行方向に対して側方に偏向させ、トロール網が前面開口を障害物のない状態で直接開口させるので、船の航跡から外れた位置において前面開口を障害物のない状態で直接開口させてトロール網を曳網させて、魚等を逃避させない状態にして捕獲することができる等の効果を奏する。
【図面の簡単な説明】
【図１】  本発明のサイドトーイングトロールシステムの１実施形態を示す平面図
【図２】  本発明のサイドトーイングトロールシステムの１実施形態を示す正面図
【図３】  本発明のサイドトーイングトロールシステムの１実施形態を示す拡大斜視図
【図４】  従来の水産資源調査を行う場合のトロール方法を示す平面図
【符号の説明】
１１  船
１２  曳網索
１３  偏向展開手段
１４  トロール網
１５  前面開口
【図１】
0004756151.tif 000002
【図２】
0004756151.tif 000003
【図３】
0004756151.tif 000004
【図４】
0004756151.tif 000005